(57)【要約】【課題】画面の一部分だけを表示状態とし、残りの部分を非表示状態にすることができる機能を有した液晶表示装置において、装置使用者が部分表示領域をある程度自由に設定できるようにする。【解決手段】部分表示させたい領域を液晶表示パネル１のＬ１行目からＬ２行目までかつＭ１列目からＭ２列目までの囲まれた領域とする時、制御回路にレジスタを設けてＬ１、Ｌ２、Ｍ１、Ｍ２に対応する値を書き込めるようにしておき、そこに書き込まれた値に従って部分表示させる。【選択図】  図１
2005099872.tif 000002
【特許請求の範囲】
【請求項１】
複数の走査電極と複数の信号電極とが交差配置されて構成され、表示画面の表示領域を部分的に制御する制御回路を有する液晶表示装置において、
前記制御回路は、
前記表示画面の表示領域において部分的に表示する部分表示部の行方向の広さと位置を可変できるように前記部分表示部の開始行に対応する値と終了行に対応する値とが分けられて設定される２系列のレジスタと、
当該２系列のレジスタ内の設定値に基づいて前記部分表示を制御するタイミング信号を形成する回路ブロックと、を有し、
前記タイミング信号より制御された部分表示期間に走査信号と当該走査信号を転送するクロックとを出力し、前記表示画面の先頭行から前記部分表示部の開始行までの非表示部に対応する期間において前記クロックを動作させることを特徴とする液晶表示装置。
【請求項２】
請求項１に記載の液晶表示装置であって、
表示領域と非表示領域の区分が前記信号電極によって区分される列方向であって、非表示領域の信号電極への印加電圧を表示がオフとなる電圧に固定する手段と、
非表示領域に対応する表示データの転送を停止させる手段とを備えたことを特徴とする液晶表示装置。
【請求項３】
請求項１に記載の液晶表示装置であって、
表示領域と非表示領域の区分が前記走査電極によって区分される行方向であって、全行に表示する場合と一部分の行に表示する場合とで表示領域の走査電極に選択電圧を印加する時間が同じであることを特徴とする液晶表示装置。
【請求項４】
請求項３の液晶表示装置であって、表示パネルには画素電極がマトリックス状に形成され画素部を形成してなり、前記画素電極にスイッチング素子が形成されてなり、非表示領域にある行の画素部の液晶への印加電圧をほぼ０Ｖに書き込む手段を備えていることを特徴とする液晶表示装置。
【請求項５】
請求項１乃至４のいずれか一項に記載の液晶表示装置を含むことを特徴とする電子機器。
【請求項６】
複数の走査電極と複数の信号電極とが交差配置されて構成され、表示画面の表示領域を部分的に制御する制御回路を有する表示装置において、
前記制御回路は、
前記表示画面におけるの表示領域において部分的に表示する部分表示部の行方向の広さと位置を可変できるように前記部分表示部の開始行に対応する値と終了行に対応する値とが分けられて設定される２系列のレジスタと、
当該２系列のレジスタ内の設定値に基づいて前記部分表示を制御するタイミング信号を形成する回路ブロックと、を有し、
前記タイミング信号より制御された部分表示期間に走査信号と当該走査信号を転送するクロックとを出力し、前記表示画面の先頭行から前記部分表示部の開始行までの非表示部に対応する期間において前記クロックを動作させることを特徴とする表示装置。
【発明の詳細な説明】
【技術分野】
【０００１】
本発明は一部の領域だけを表示状態とし、他の領域を非表示状態にすることができる機能を有した液晶装置に関する。
【背景技術】
【０００２】
携帯電話等の携帯電子機器に用いられている表示装置はより多くの情報が表示できるように表示ドット数が年々増加して来ており、それに伴い表示装置による消費電力も増大して来ている。携帯電子機器の電源は電池であるため電池寿命が長くできるように低消費電力であることが強く求められる。そのため表示ドット数が多い表示装置においては必要な時は全画面を表示状態とするが、通常時は必要最小限の表示が出来るように表示パネルの一部の領域だけを表示状態とし、他の領域を非表示状態にして消費電力を低減する方法が検討され始めている。
【０００３】
従来の液晶表示装置においては全画面の表示／非表示が制御できる機能を持つものは多いが、画面のある領域だけを表示状態とし、他の領域を非表示状態にする機能を持つものはまだ実用化されていない。そうした機能を実現する方法としては特開平６−９５６２１の実施例１及び特開平７−２８１６３２が提案されている。これらの従来例は２つとも液晶表示パネルが単純マトリックス方式の場合について述べている。
【０００４】
図７、図８を用いて特開平６−９５６２１の実施例を以下に説明する。図７はこの実施例の液晶表示装置のブロック図である。ブロック５１は液晶表示パネルであり、複数の走査電極を形成した基板と複数の信号電極を形成した基板とが数μｍの間隔で対向して配置され、その間隙には液晶が封入されている。ブロック５５は走査電極を駆動するＹドライバであり、ブロック５６は信号電極を駆動するＸドライバである。液晶の駆動に必要な複数の電圧レベルはブロック５４の駆動電圧形成回路で形成され、 ＸドライバとＹドライバを経由して液晶表示パネルに印加される。ブロック５７は走査すべき走査電極数を制御する走査制御回路である。ブロック５２はそれらの回路に必要なタイミング信号や表示用データ信号および制御信号を形成するＬＣＤコントローラであり、ブロック５３は以上の回路の電力供給源である。走査電極には順次１行ずつ選択電圧が印加され、その他の行には非選択電圧が印加される。信号電極には選択されている行の各画素のオン／オフに従う信号電圧が順次印加される。
【０００５】
この実施例は部分表示が左半画面の場合と、さらにその内の上半分の場合について述べている。まず部分表示が左半画面の場合について説明する。信号電極の数は６４０とする。左半画面の部分表示状態に移行する前に、Ｘドライバには１行分の全画素がオフのデータを書き込んでおく。その後、ＬＣＤコントローラはＸドライバ内部のシフトレジスタを動作させるクロックＣＬＸの周期を２倍にして１選択期間内のクロック数を半減するとともに、それに合わせて１行当たり３２０画素分の表示データだけを転送する。この時、左半画面の３２０画素分しかデータ転送が無くてもＸドライバには１行分の表示データを記憶する回路が内蔵されているため、Ｘドライバの右半分は先に転送されていたオフのデータを記憶し続け、Ｘドライバの右半分の３２０本の出力は表示をオフする電圧を出力し続ける。こうして右半画面をオフ表示状態とすることができる。Ｘドライバの動作クロック周波数が半減することとパネルの半分がオフ表示になることで、表示装置の消費電力は全画面表示状態の場合に比べて若干減少する。
【０００６】
次に部分表示が左半画面の内の上半分だけの場合について説明する。走査電極の数は４００とする。まず前述した方法で左半画面のみを表示状態とする。続いてＬＣＤコントローラは部分表示制御信号ＰＤを“Ｈ”レベルにして下半分を非表示状態とする。ＰＤが“Ｌ”レベルの場合には１／４００デューティで全走査電極を走査することにより全画面が表示状態となり、ＰＤが“Ｈ”レベルの場合にはパネルの上半分の走査電極だけを１／２００デューティで走査することにより上半画面が表示状態で残りの下半画面が非表示状態という部分表示状態となる。１／２００デューティへの切り替えはＹドライバ内部のシフトレジスタを動作させるクロックＣＬＹの周期を２倍に切り替えて１フレーム期間内のクロック数を半減することによって行っている。部分表示状態における下半画面の走査電極の走査停止方法の詳細は記載されていないが、走査制御回路ブロック５４の内部回路図から判断すると、ＰＤを“Ｈ”レベルにするとＹドライバ内のシフトレジスタの２００段目から２０１段目に転送するデータが“Ｌ”レベルに固定され、その結果、Ｙドライバの２０１番目〜４００番目の出力が非選択電圧レベルを保つという方法である。
【０００７】
画素のオン／オフ状態は液晶に加わる電圧の実効値で決まる。下半画面の液晶に加わる実効電圧は走査電極に選択電圧が全く加わらないために右上１／４画面のオフ表示状態となっている液晶に加わる実効電圧よりもかなり小さくなり、その結果、下半画面は完全に非表示状態となる。
【０００８】
なお、単純マトリックス方式の液晶表示パネルにおいては表示デューティを切り替える場合には駆動電圧の設定変更が必要となる。以下にこの点を駆動電圧形成ブロック５３の内部回路である図８を用いて説明する。
【０００９】
まず図８の構成と機能について述べる。約１／３０デューティよりも高デューティの液晶表示パネルを駆動するにはＶ０〜Ｖ５の６レベルの電圧が必要になる。液晶に印加される最大電圧はＶ０−Ｖ５であり、Ｖ０には＋５Ｖの入力電源電圧をそのまま用いる。コントラスト調整用の可変抵抗ＲＶ１とトランジスタＱ１とにより０Ｖと−２４Ｖの入力電源からコントラストが最適となる電圧Ｖ５を取り出す。抵抗Ｒ１〜Ｒ５によりＶ０−Ｖ５の電圧を分圧して中間電圧を形成し、それらの中間電圧をオペアンプＯＰ１〜ＯＰ４で駆動能力を上げＶ１〜Ｖ４を出力する。スイッチＳ２ａとＳ２ｂは連動スイッチであり信号ＰＤのレベルに応じてＲ３ａとＲ３ｂのどちらか一方が接続状態となる。Ｒ３ａとＲ３ｂの抵抗値を異ならせておくことにより、ＰＤのレベルに応じて異なる分圧比のＶ０〜Ｖ５を形成することができる。
【００１０】
Ｖ０〜Ｖ５の間にはＶ０−Ｖ１＝Ｖ１−Ｖ２＝Ｖ３−Ｖ４＝Ｖ４−Ｖ５という関係があり、電圧分割比（Ｖ０−Ｖ１）／（Ｖ０−Ｖ５）をバイアス比と呼ぶ。デューティを１／Ｎとする時、好ましいバイアス比は１／（１＋√Ｎ）であることが特公昭５７−５７７１８において開示されている。従ってＲ３ａとＲ３ｂの抵抗値を各々１／４００デューティ用と１／２００デューティ用に設定しておけば、各デューティにおいて好ましいバイアス比で駆動することができる。
【００１１】
デューティを切り替える場合にはバイアス比の切り替えだけでなく同時に駆動電圧＝Ｖ０−Ｖ５の変更も必要である。駆動電圧を固定したままデューティを１／４００から１／２００に切り替えると、バイアス比を好ましい値に切り替えてもコントラストが著しく悪い表示となってしまう。これは選択電圧が液晶に加わっている時間が２倍になるために液晶に加わる実効電圧が高くなりすぎてしまうことによる。この実施例ではバイアス比の切り替えの必要性とその実現手段については詳細に記載されているのに対して、駆動電圧切り替えの必要性とその実現手段については詳細な記載が無い。
【００１２】
具体的にはデューティを１／Ｎとすると、Ｎ＞＞１の場合はＶ０−Ｖ５をほぼ√Ｎに比例して調整する必要がある。たとえば１／４００デューティの場合の最適なＶ０−Ｖ５を仮に２８Ｖとすると、１／２００デューティの場合にはＶ０−Ｖ５を２８Ｖ／√２≒２０Ｖに調整する必要がある。この電圧調整は全画面表示状態と上半画面表示状態とを切り替える都度にコントラスト調整用可変抵抗ＲＶ１を装置使用者が調整することによって行うことになるが、それは装置使用者にとっては大変不便なことである。駆動電圧自動設定手段の追加が必須であるが、バイアス比切り替え手段ほど容易ではないため駆動電圧形成回路は大幅に複雑化することになる。
【００１３】
部分表示が十数行〜２０行前後とかなり小さい場合は、それに合わせてデューティを切り替えると、好ましいバイアス比が１／３や１／４となる。液晶の駆動に必要な電圧は６レベルではなく１／４バイアスの場合は５レベル、１／３バイアスの場合には４レベルとなる。５レベルの電圧が必要な場合はＲ３ａとＲ３ｂの内の部分表示時に接続される側の抵抗値を０Ωにしておけばよいが、４レベルの電圧が必要な場合にはＲ３＊ではなくＲ２及びＲ４を０Ωにする手段が必要となる。特開平７−２８１６３２はこうした場合のバイアス比の切り替え手段及び駆動電圧の切り替え手段について実施例で述べているが、ここではその実施例のこれ以上の説明は省略する。
【発明の開示】
【発明が解決しようとする課題】
【００１４】
前述したこれまでに提案されている方法により、液晶表示パネルの一部の領域だけを表示状態とし、他の領域を非表示状態にする機能自体は可能となる。但し、部分表示する領域に対応してクロックの周期を切り替えたり、バイアス比や駆動電圧を切り替えなければならないということは、部分表示できる領域が用意されている設定のみに限定されてしまうために汎用性が極めて乏しいという欠点を伴う。
【００１５】
液晶ドライバは制御入力端子により表示オフ機能を有しているものが多い。その機能を利用してドライバＩＣごとの表示オフ制御入力を個別に制御することによりＩＣチップ単位で部分表示の領域を設定する方法も可能ではあるが、やはり部分表示できる領域が用意されている設定のみに限定されてしまうので、汎用性に欠ける方法である。
【００１６】
そこで本発明は部分表示の領域がソフト的に設定できる汎用性の高い液晶表示装置を提供することを目的とする。
【課題を解決するための手段】
【００１７】
請求項１記載の液晶表示装置は、複数の走査電極と複数の信号電極とが交差配置されて構成され、表示画面の表示領域を部分的に制御する制御回路を有する液晶表示装置において、前記制御回路は、前記表示画面の表示領域において部分的に表示する部分表示部の行方向の広さと位置を可変できるように前記部分表示部の開始行に対応する値と終了行に対応する値とが分けられて設定される２系列のレジスタと、当該２系列のレジスタ内の設定値に基づいて前記部分表示を制御するタイミング信号を形成する回路ブロックと、を有し、前記タイミング信号より制御された部分表示期間に走査信号と当該走査信号を転送するクロックとを出力し、前記表示画面の先頭行から前記部分表示部の開始行までの非表示部に対応する期間において前記クロックを動作させることを特徴とする。
【００１８】
たとえば部分表示させたい領域を表示ドットのＬ１行目からＬ２行目までかつＭ１列目からＭ２列目までの囲まれた領域とする時、制御回路にレジスタを設けておきＬ１、Ｌ２、Ｍ１、Ｍ２に対応する値を書き込めるようにすること、そこに書き込まれた値に従って部分表示させることは技術的に可能である。こうした手段を有した液晶装置は使用者が部分表示させたい領域をかなり自由に設定できるため汎用性が高いものとなる。
【００１９】
請求項２記載の液晶表示装置は、表示領域と非表示領域の区分が信号電極によって区分される方向であって、非表示領域の信号電極への印加電圧を表示がオフとなる電圧に固定する手段と、非表示領域に対応する表示データの転送を停止させる手段とを備えたことを特徴とする。
【００２０】
部分表示時でも表示部分のデータ転送クロックの周期は全画面表示時と同一にしておき、非表示部分のデータ転送期間ではデータ転送クロックあるいはデータの少なくとも一方を停止させるという方法により、表示領域と非表示領域の区分が信号電極によって区分される方向という場合の汎用性を保つことができる。
【００２１】
請求項３記載の液晶表示装置は、表示領域と非表示領域の区分が走査電極によって区分される行方向であって、全行に表示する場合と一部分の行に表示する場合とで表示領域の走査電極に選択電圧を印加する時間が同じであることを特徴とする。
【００２２】
部分表示時でも表示領域の走査電極に選択電圧を印加する時間やバイアス比および駆動電圧を全画面表示時と同じにするという方法により、表示領域と非表示領域の区分が走査電極によって区分される方向という場合の汎用性を保つことができる。
【００２３】
請求項４記載の液晶表示装置は、表示パネルには画素電極がマトリックス状に形成され画素部を形成してなり、前記画素電極にスイッチング素子が形成されてなり、非表示領域にある行の画素部の液晶への印加電圧をほぼ０Ｖに書き込む手段を備えていることを特徴とする。
【００２４】
単純マトリックス方式の場合は走査電極に非選択電圧を印加するだけでその行を非表示状態にすることができるが、ＴＦＴやＭＩＭなどのアクティブ・マトリックス方式の場合は非選択の期間は画素部の電圧を保持し続けるため、部分表示状態に移行する前に非表示行の画素にオフ電圧を書き込んでおく必要がある。０Ｖに書き込んでおけば液晶に特有な交流駆動も不要となる。こうした手段によりアクティブ・マトリックス方式の液晶装置においても表示領域と非表示領域の区分が走査電極によって区分される方向という場合の汎用性を保つことができる。
【００２５】
また、本発明に記載の電子機器は、上記した液晶表示装置を含むことを特徴とする。
【００２６】
また、本発明に記載の表示装置は、複数の走査電極と複数の信号電極とが交差配置されて構成され、表示画面の表示領域を部分的に制御する制御回路を有する表示装置において、前記制御回路は、前記表示画面におけるの表示領域において部分的に表示する部分表示部の行方向の広さと位置を可変できるように前記部分表示部の開始行に対応する値と終了行に対応する値とが分けられて設定される２系列のレジスタと、当該２系列のレジスタ内の設定値に基づいて前記部分表示を制御するタイミング信号を形成する回路ブロックと、を有し、前記タイミング信号より制御された部分表示期間に走査信号と当該走査信号を転送するクロックとを出力し、前記表示画面の先頭行から前記部分表示部の開始行までの非表示部に対応する期間において前記クロックを動作させることを特徴とする。
【発明の効果】
【００２７】
本発明によれば、装置使用者が部分表示領域の必要な広さや位置をレジスタで設定できるため、汎用性の高い液晶装置を提供できる。
【発明を実施するための最良の形態】
【００２８】
以下、本発明の実施形態を図面に基づいて説明する。図１は本発明の液晶表示装置における部分表示状態を示す図であり、斜線部分が表示状態、白地の部分が非表示状態となっている。必要な時には白地の部分も表示状態となるが、待機時には図のように液晶表示パネル１の一部の領域だけに表示する状態となる。
【００２９】
図１Ａは表示領域と非表示領域の区分が信号電極によって区分される方向である場合、図１Ｂは表示領域と非表示領域の区分が走査電極によって区分される方向である場合、図１ＣとＤはその組み合わせによる場合を示した図である。以後は信号電極によって区分される方向を列方向と表し、走査電極によって区分される方向を行方向と表す。以下の実施例で述べるように、部分表示する領域の広さや位置は制御回路（ＬＣＤコントローラ）内部のレジスタに設定する値を通して設定できる。
【００３０】
図２は本発明の液晶表示装置の構成を示すブロック図である。１が液晶表示パネル、２がＬＣＤコントローラ、３が電力供給源、４が駆動電圧形成回路、５が走査電極駆動用ドライバ、６が信号電極駆動用ドライバである。基本要素は従来技術で説明した図６と同様であるため、各要素の説明は省略する。本発明のポイントであるＬＣＤコントローラの機能については各信号の内容と合わせて個別の実施例で説明する。なお、図ではＬＣＤコントローラは独立した回路ブロックとして表してあるが、いずれかのドライバＩＣチップに内蔵される場合もある。
【００３１】
（実施例１）
図１Ａのような部分表示状態を実現する方法の例について図３と図４を用いて説明する。図３は液晶表示装置に内蔵されるＬＣＤコントローラの一部を示した回路図であり、列方向の部分表示状態を制御する回路ブロックである。また、図４は図３の回路の動作を示すタイミング図である。
【００３２】
７は８ビット程度のレジスタであり、列方向の部分表示を行うか否かの情報と部分表示する列数に対応した情報が設定される。通常はデータ転送用クロックの１クロックごとに複数ドット分の表示データが転送されるため、レジスタ７には部分表示の列数に対応するデータ転送クロック数を設定すればよい。仮にデータ転送クロックごとに８ドット分の表示データが転送されるとすると７ビットあれば２７×８ドット＝１０２４ドットまでの部分表示が８ドット単位で設定できることになる。
【００３３】
８はカウンタを主体とする回路ブロックで、走査開始信号ＦＲＭ、表示データラッチ信号ＬＰ、データ転送用クロックＣＬＸＩといったタイミング信号とレジスタ７の設定値を基に、列方向の部分表示を制御するタイミング信号ＣＮＴ１とＣＮＴ２を形成する。ＦＲＭ、ＬＰ、ＣＬＸＩは図４に示したようなタイミングである。図を分かり易くするために、ＬＰ一周期ごとのＣＬＸＩのクロック数を実際よりも少なく示した。たとえば列方向の表示ドット数が３２０、表示データ転送が８ドット分並列の場合にはＬＰ一周期ごとのＣＬＸＩのクロック数は４０である。ＣＬＸＩとＤａｔａＩは部分表示ではない時にデータ転送用クロックと表示データになる信号である。ＣＬＸとＤａｔａはＬＣＤコントローラから信号電極駆動用ドライバに送り出される信号で、各々データ転送用クロックと表示データである。
【００３４】
図４のｔ１は部分表示ではない状態から部分表示の状態に切り変わる時刻を示す。正確に言えば、ｔ１から部分表示の処理が始まる。
【００３５】
ｔ１以前はＣＮＴ１とＣＮＴ２は定常的にＨレベルであって、この時はＡＮＤゲート９と１０が開いたままとなり、ＣＬＸとＤａｔａには各々ＣＬＸＩとＤａｔａＩと同じ信号がそのまま送り出される。部分表示の状態においては非表示の部分に対応するＣＬＸとＤａｔａが停止するように、ＣＮＴ１とＣＮＴ２は図４右側のようなタイミングの信号となるようにする。
【００３６】
ある１行を選択している期間、すなわち、ＬＰの１周期を１Ｈ期間と表す。ある行が選択されている間は、Ｘドライバはその行にある各ドットの表示データに従った電圧を出力するが、その行の表示データのＸドライバへの転送はそれよりも１Ｈ前の間に行われる。ＦＲＭかつＬＰがＨレベルになった直後の１Ｈは１行目が選択されるので、その１Ｈ前に１行目の表示データがＸドライバへ転送される。１行目の表示データとしては、表示する部分のデータとともに非表示とする部分のオフ表示データも転送する必要がある。従って、ｔ１直後の１Ｈ期間、すなわち、１行目の表示データを転送している期間のＣＬＸはｔ１以前と同様に１行の全ドット分のデータを送るクロック数が必要であるので、この間はＣＮＴ１はＨレベルとする。一方、この１Ｈ期間のＣＮＴ２はオフ表示データを転送する間だけＬレベルとして、表示データをＬレベルに固定する。
【００３７】
ｔ１直後の１Ｈだけそうしたデータ転送をしておけばＸドライバはデータ転送が無かった部分については先に転送されていたオフのデータを記憶し続けるので、それ以降は非表示部分に対応する期間のデータ転送を行わなくても非表示部分をオフ表示状態とすることができる。
【００３８】
以上の方法により図１Ａのように表示領域と非表示領域の区分が信号電極によって区分される方向という部分表示ができる。本実施例によれば部分表示の広さをレジスタに設定する値に対応させて、たとえば８ドット単位で自由に可変できる。
【００３９】
なお、部分表示の状態において、非表示の部分に対応するＣＬＸとＤａｔａの一方を停止するだけでも部分表示が可能ではあるが、本実施例のように両方とも停止した方が低消費電力化の点で好ましい。
【００４０】
以上述べてきた方法は部分表示部が表示パネルの先頭列から始まる場合の例であるが、レジスタを２系列設けて各々に部分表示部の開始列と終了列に対応する値を設定できるようにすれば、部分表示部の列方向の広さだけでなく位置も自由に設定できるようになる。但し、この場合は表示パネルの先頭列から部分表示部の開始列前までの非表示部に対応する期間はＣＬＸを動作させておく必要がある。
【００４１】
（実施例２）
図１Ｂのような部分表示状態を実現する方法の例について図５と図６を用いて説明する。図５は液晶表示装置に内蔵されるＬＣＤコントローラの一部を示した回路図であり、行方向の部分表示状態を制御する回路ブロックである。また、図６は図５の回路の動作を示すタイミング図である。表示パネルは１行ずつの線順次駆動であって全部で２００行あり、部分表示状態では先頭から３２行のみを表示する場合を示した。図６においてＡ、Ｂの部分は各々単純マトリックス方式、アクティブマトリックス方式の液晶表示装置の場合についての図である。
【００４２】
１１は８ビット程度のレジスタであり、行方向の部分表示を行うか否かの情報と部分表示する行数に対応した情報が設定される。行数の設定を７ビットで行えば、１行ずつの線順次駆動のパネルでは２７＝１２８行までの部分表示が１行単位で設定でき、４行同時選択駆動のパネルでは２７×４＝５１２行までの部分表示が４行単位で設定できることになる。
【００４３】
１２はカウンタを主体とする回路ブロックで、走査開始信号ＦＲＭ、走査信号転送用クロックＣＬＹＩといったタイミング信号とレジスタ１１の設定値を基に、行方向の部分表示を制御するタイミング信号ＰＤＹとＣＮＴ３を形成する。ＦＲＭ、ＣＬＹＩは図６に示したようなタイミングである。ＣＬＹＩは部分表示ではない時に走査信号転送用クロックとなる信号である。ＣＬＹはＬＣＤコントローラからＹドライバに送り出される走査信号転送用クロックであり、ＡＮＤゲート１３によるＣＮＴ３とＣＬＹＩとのＡＮＤ出力がＣＬＹとなる。
【００４４】
通常、Ｙドライバは選択電圧の出力を禁止する制御入力を有している。ＰＤＹはＹドライバのそうした制御入力となる信号であり、Ｌレベルの時は選択電圧出力が禁止されてＹドライバの全出力が非選択電圧レベルになるものとする。
【００４５】
図６のｔ２は部分表示ではない状態から部分表示の状態に切り変わる時刻を示す。正確に言えば、ｔ２から部分表示の処理が始まる。ｔ２直後の１フレーム期間をＦ１、さらにその次の１フレーム期間をＦ２と表す。
【００４６】
ｔ２以前はＣＮＴ３は定常的にＨレベルであって、この時はＡＮＤゲート１３が開いたままとなり、ＣＬＹにはＣＬＹＩと同じ信号がそのまま送り出される。ｔ２以前はＰＤＹも定常的にＨレベルであって、Ｙドライバの各出力は順次選択電圧を出力して、全画面が表示状態となっている。部分表示状態においては非表示の部分である３３行〜２００行に対応するＣＬＹが停止するとともに、Ｙドライバから選択電圧が出力しないように、ＣＮＴ３とＰＤＹは図６のようなタイミングの信号となるようにする。
【００４７】
部分表示状態においてもＣＬＹの周期は変更しないので、表示領域の走査電極に選択電圧を印加する時間は全画面表示時と同じである。バイアス比や選択電圧を変更する必要も無い。
【００４８】
表示パネルがアクティブマトリックス方式の場合には非選択の期間は画素部の電圧を保持し続けるため、部分表示に移行する際に非表示行の画素にオフ電圧を書き込んでおく必要がある。図のＶＣＴは信号電圧制御信号で、ＶＣＴをＬレベルにすると画素への書き込み信号電圧をほぼ０Ｖにすることができる信号であるとする。たとえばＴＦＴパネルの場合にはコモン電位と同じ電圧を書き込めば、画素への書き込み信号電圧をほぼ０Ｖにすることができる。アクティブマトリックス方式の場合にはＦ１の期間だけはＣＬＹや選択電圧印加が停止しないようにＣＮＴ３とＰＤＹはＨレベルとし、非表示行が選択されている間は画素にほぼ０Ｖを書き込み、Ｆ２以降は非表示の部分に対応するＣＬＹを停止するとともに、Ｙドライバから選択電圧が出力しないようにする。単純マトリックス方式の場合はｔ２以降の各フレームは同じタイミング信号の繰り返しでよい。
【００４９】
以上の方法により図１Ｂのように表示領域と非表示領域の区分が走査電極によって区分される方向という部分表示ができる。本実施例によれば部分表示の広さをレジスタに設定する値に対応させて、１行ずつ線順次駆動の場合には１行単位で、複数行同時選択駆動の場合には同時選択する行数の単位で自由に可変できる。
【００５０】
なお、部分表示の状態において、非表示の部分に対応するＣＬＹは停止せずに選択電圧の印加を停止するだけでも部分表示が可能ではあるが、本実施例のようにＣＬＹも停止した方が低消費電力化の点で好ましい。ＦＲＭで内部がリセットされないＹドライバを用いて部分表示時のＣＬＹを停止する場合には、部分表示状態から全画面表示状態に移行する時に異常表示を避けるために１フレーム間は選択電圧の印加を停止することが好ましい。
【００５１】
以上述べてきた方法は部分表示部が表示パネルの先頭行から始まる場合の例であるが、レジスタを２系列設けて各々に部分表示部の開始行と終了行に対応する値を設定できるようにすれば、部分表示部の行方向の広さだけでなく位置も自由に設定できるようになる。但し、この場合は表示パネルの先頭行から部分表示部の開始行前までの非表示部に対応する期間はＣＬＹを動作させておく必要がある。
【００５２】
また、実施例１と実施例２を組み合わせれば、各々のレジスタが１系列の場合は図１Ｃのような部分表示が可能となり、各々のレジスタが２系列の場合には図１Ｄのような部分表示が可能となる。
【００５３】
（実施例３）
次に、本発明の液晶装置を搭載した電子機器について以下に説明する。
【００５４】
上述の実施例の液晶表示装置を用いて構成される電子機器は、図９に示す表示情報出力源１０００、表示情報処理回路１００２、表示駆動回路１００４、液晶パネルなどの表示パネル１００６、クロック発生回路１００８及び電源回路１０１０を含んで構成される。表示情報出力源１０００は、ＲＯＭ、ＲＡＭなどのメモリ、テレビ信号を同調して出力する同調回路などを含んで構成され、クロック発生回路１００８からのクロックに基づいて、ビデオ信号などの表示情報を出力する。表示情報処理回路１００２は、クロック発生回路１００８からのクロックに基づいて表示情報を処理して出力する。この表示情報処理回路１００２は、例えば増幅・極性反転回路、相展開回路、ローテーション回路、ガンマ補正回路あるいはクランプ回路等を含むことができる。表示駆動回路１００４は、走査側駆動回路及びデータ側駆動回路を含んで構成され、液晶パネル１００６を表示駆動する。電源回路１０１０は、上述の各回路に電力を供給する。
【００５５】
このような構成の電子機器として、図１０に示す液晶プロジェクタ、図１１に示すマルチメディア対応のパーソナルコンピュータ（ＰＣ）及びエンジニアリング・ワークステーション（ＥＷＳ）、図１２に示すページャ、あるいは携帯電話、ワードプロセッサ、テレビ、ビューファインダ型又はモニタ直視型のビデオテープレコーダ、電子手帳、電子卓上計算機、カーナビゲーション装置、ＰＯＳ端末、タッチパネルを備えた装置などを挙げることができる。
【００５６】
図１０は、投写型表示装置の要部を示す概略構成図である。図中、１０は光源、１３，１４はダイクロイックミラー、１５，１６，１７は反射ミラー、１８，１９，２０はリレーレンズ、２２，２３，２４は液晶ライトバルブ、２５はクロスダイクロイックプリズム、２６は投写レンズを示す。光源１０はメタルハライド等のランプ１１とランプの光を反射するリフレクタ１２とからなる。青色光・緑色光反射のダイクロイックミラー１３は、光源１０からの白色光束のうちの赤色光を透過させるとともに、青色光と緑色光とを反射する。透過した赤色光は反射ミラー１７で反射されて、赤色光用液晶ライトバルブ２２に入射される。一方、ダイクロイックミラー１３で反射された色光のうち緑色光は緑色光反射のダイクロイックミラー１４によって反射され、緑色光用液晶ライトバルブ２３に入射される。一方、青色光は第２のダイクロイックミラー１４も透過する。青色光に対しては、長い光路による光損失を防ぐため、入射レンズ１８、リレーレンズ１９、出射レンズ２０を含むリレーレンズ系からなる導光手段２１が設けられ、これを介して青色光が青色光用液晶ライトバルブ２４に入射される。各ライトバルブにより変調された３つの色光はクロスダイクロイックプリズム２５に入射する。このプリズムは４つの直角プリズムが貼り合わされ、その内面に赤光を反射する誘電体多層膜と青光を反射する誘電体多層膜とが十字状に形成されている。これらの誘電体多層膜によって３つの色光が合成されて、カラー画像を表す光が形成される。合成された光は、投写光学系である投写レンズ２６によってスクリーン２７上に投写され、画像が拡大されて表示される。
【００５７】
図１１に示すパーソナルコンピュータ１２００は、キーボード１２０２を備えた本体部１２０４と、液晶表示画面１２０６とを有する。
【００５８】
図１２に示すページャ１３００は、金属製フレーム１３０２内に、液晶表示基板１３０４、バックライト１３０６ａを備えたライトガイド１３０６、回路基板１３０８、第１，第２のシールド板１３１０，１３１２、２つの弾性導電体１３１４，１３１６、及びフィルムキャリアテープ１３１８を有する。２つの弾性導電体１３１４，１３１６及びフィルムキャリアテープ１３１８は、液晶表示基板１３０４と回路基板１３０８とを接続するものである。
【００５９】
ここで、液晶表示基板１３０４は、２枚の透明基板１３０４ａ，１３０４ｂの間に液晶を封入したもので、これにより少なくともドットマトリクス型の液晶表示パネルが構成される。一方の透明基板に、図９に示す駆動回路１００４、あるいはこれに加えて表示情報処理回路１００２を形成することができる。液晶表示基板１３０４に搭載されない回路は、液晶表示基板の外付け回路とされ、図１２の場合には回路基板１３０８に搭載できる。
【００６０】
図１２はページャの構成を示すものであるから、液晶表示基板１３０４以外に回路基板１３０８が必要となるが、電子機器用の一部品として液晶表示装置が使用される場合であって、透明基板に表示駆動回路などが搭載される場合には、その液晶表示装置の最小単位は液晶表示基板１３０４である。あるいは、液晶表示基板１３０４を筺体としての金属フレーム１３０２に固定したものを、電子機器用の一部品である液晶表示装置として使用することもできる。さらに、バックライト式の場合には、金属製フレーム１３０２内に、液晶表示基板１３０４と、バックライト１３０６ａを備えたライトガイド１３０６とを組み込んで、液晶表示装置を構成することができる。これらに代えて、図１３に示すように、液晶表示基板１３０４を構成する２枚の透明基板１３０４ａ，１３０４ｂの一方に、金属の導電膜が形成されたポリイミドテープ１３２２にＩＣチップ１３２４を実装したＴＣＰ（Ｔａｐｅ  Ｃａｒｒｉｅｒ  Ｐａｃｋａｇｅ）１３２０を接続して、電子機器用の一部品である液晶表示装置として使用することもできる。
【００６１】
なお、本発明は上記実施例に限定されるものではなく、本発明の要旨の範囲内で種々の変形実施が可能である。例えば、本発明は上述の各種の液晶パネルの駆動に適用されるものに限らず、エレクトロルミネッセンス、プラズマディスプレー装置にも適用可能である。
【図面の簡単な説明】
【００６２】
【図１】本発明の液晶表示装置における部分表示状態を示す図。
【図２】本発明の液晶表示装置のブロック図。
【図３】本発明の実施例を示す液晶表示装置の制御回路の部分図。
【図４】図３の回路の動作を示すタイミング図。
【図５】本発明の他の実施例を示す液晶表示装置の制御回路の部分図。
【図６】図５の回路の動作を示すタイミング図。
【図７】部分表示機能を有した従来の液晶表示装置のブロック図。
【図８】図７における液晶駆動電圧作成回路の詳細回路図。
【図９】本発明の液晶装置を用いた電子機器の概略図。
【図１０】本発明の液晶装置を搭載した構成を示す電子機器の概略図。
【図１１】本発明の液晶装置を搭載した構成を示す電子機器の概略図。
【図１２】本発明の液晶装置を搭載した構成を示す電子機器の概略図。
【図１３】本発明の液晶装置を搭載した構成を示す電子機器の概略図。
【符号の説明】
【００６３】
１，５１ … 液晶表示パネル
２、５２ … ＬＣＤコントローラ
３，５３ … 電源
４，５４ … 駆動電圧形成部
５，５５ … 走査電極駆動用ドライバ
６，５６ … 信号電極駆動用ドライバ
５７ … 走査制御回路
７，１１ … レジスタ
８ … 列方向制御信号形成部
９，１０，１３ … ＡＮＤゲート
１２ … 行方向制御信号形成部
ＦＲＭ … 走査開始信号
ＬＰ … データラッチ信号
ＣＬＸＩ，ＣＬＸ … データ転送用クロック
ＣＬＹＩ，ＣＬＹ … 走査信号転送用クロック
ＤａｔａＩ，Ｄａｔａ … 表示データ
ＣＮＴ１〜ＣＮＴ３，ＰＤＹ，ＶＣＴ … 部分表示用制御信号
ＲＶ１ … 可変抵抗
Ｒ，Ｒ１，Ｒ２，Ｒ３ａ，Ｒ３ｂ，Ｒ４，Ｒ５ … 抵抗
Ｓ２ａ，Ｓ２ｂ … スイッチ
Ｑ１ … バイポーラ・トランジスタ
ＯＰ１〜ＯＰ４ … オペアンプ
Ｖ０〜Ｖ５ … 液晶駆動電圧
【図１】
2005099872.tif 000003
【図２】
2005099872.tif 000004
【図３】
2005099872.tif 000005
【図４】
2005099872.tif 000006
【図５】
2005099872.tif 000007
【図６】
2005099872.tif 000008
【図７】
2005099872.tif 000009
【図８】
2005099872.tif 000010
【図９】
2005099872.tif 000011
【図１０】
2005099872.tif 000012
【図１１】
2005099872.tif 000013
【図１２】
2005099872.tif 000014
【図１３】
2005099872.tif 000015